(57)【要約】【課題】分別つまみで容器からキャップを分別離脱するときに、キャップが回転することがなく力が入り易く、オーバーキャップが冠着可能な易分別離脱可能なキャップを提供する。【解決手段】キャップ本体の天板に、蓋部が装着する注出口部を立設し、周壁の内周面に容器との咬合リングを有する打栓方式のキャップであって、周壁外周面の所定位置に、分別用つまみ係止突起を突設し、この分別用つまみ係止突部に離脱可能に係止孔部を係止する分別用つまみを、周壁の前記分別用つまみ係止突部の下方外周面下端にヒンジ部を介して接続し、周壁外周面のヒンジ部の左右両端位置から、周壁の上端に達する二本の線状薄肉脆弱部を上方開きで対向させて設ける。【選択図】図１
2008230615.tif 000002
【特許請求の範囲】
【請求項１】
キャップ本体の天板に、蓋部が装着する注出口部を立設し、周壁の内周面に容器との咬合リングを有する打栓方式のキャップであって、前記周壁外周面の所定位置に、分別用つまみ係止突起を突設し、該分別用つまみ係止突部に離脱可能に係止孔部を係止する分別用つまみを、前記周壁の前記分別用つまみ係止突部の下方外周面下端にヒンジ部を介して接続し、前記周壁外周面の前記ヒンジ部の左右両端位置から、前記周壁の上端に達する二本の線状薄肉脆弱部を上方開きで対向させて設け、常時には、前記分別用つまみを前記分別用つまみ係止突部に係止し、前記キャップを容器から分別するときには、前記分別用つまみを前記別用つまみ係止突部から外して上方へ引き上げ、前記周壁に設けられた前記二本の線状薄肉脆弱部を破断させて、前記キャップを容器から離脱することを特徴とする易分別離脱可能なキャップ。
【請求項２】
前記分別用つまみの形状が、Ｕ字状で中央位置に係止孔部をもち、該Ｕ字状分別用つまみの左右上端を、前記周壁の前記分別用つまみ係止突起の下方外周面下端にそれぞれヒンジ部を介して接続したことを特徴とする請求項１に記載する易分別離脱可能なキャップ。
【請求項３】
キャップ本体の天板に、蓋部が装着する注出口部を立設し、周壁の内周面に容器との咬合リングを有する打栓方式のキャップであって、前記周壁の下端部の外側に、分別環状つまみを、所定位置の一対の非破断性連結部とその他位置に複数個の易破断性小連結部を放射状に橋設して取り付け、前記周壁に接続する前記一対の非破断性連結の左右両端位置から、前記周壁の上端に達する二本の線状薄肉脆弱部を上方開きで対向させて設け、前記キャップを容器から分別するときには、前記分別環状つまみの一対の非破断性連結部の対向側を上方へ引き上げて、前記複数個の易破断性小連結部を破断し、さらに前記周壁に設けられた前記二本の線状薄肉脆弱部を破断させて、前記キャップを容器から離脱することを特徴とする易分別離脱可能なキャップ。
【発明の詳細な説明】
【技術分野】
【０００１】
本発明は、容器の口部に打栓方式で装着され、使用した後、容器から分別離脱が容易な易分別離脱可能なキャップに関するものである。
【背景技術】
【０００２】
従来、容器の口部には、高速な充填・密封のし易さから、食品など広い使用分野に亙って，大量に打栓方式のキャップが使用されていた。これらキャップは、使用したのち、資源の再利用のため又は廃棄処理のために、容器から分別回収されていた。このため、容器から分別回収し易いキャップが数多く発明、考案されていた。例えば、キャップ本体に蓋部がヒンジを介して接続する打栓方式のワンピースキャップで、キャップ本体の周壁のヒンジに隣接する上端部に周方向の分別用つまみを突設し、この分別用つまみの前方上端の近傍位置から周壁の上端部に周方向の線状薄肉脆弱部を所定長さだけ設け、また、分別用つまみの前方下端位置から周壁に下端まで前方傾斜で線状薄肉脆弱部を設けて、使用したのちに、キャップを容器から分別するときに、分別用つまみを周方向前方へ引っ張って、前述の二本の線状薄肉脆弱部を破断し、さらに、この破断部を上方へ引っ張って、キャップを容器から離脱していた（例えば、特許文献１参照）。
【特許文献１】特開平９−５８７１６号公報
【発明の開示】
【発明が解決しようとする課題】
【０００３】
しかしながら、上述した従来の打栓方式の分別離脱キャップは、キャップ本体の周壁のヒンジに隣接する上端部に周方向の分別用つまみを突設しているために、この周方向の分別用つまみが全体のシルエットからはみ出し、オーバーキャップを冠着するキャップとしては適するものではなかった。また、分別用つまみを周方向前方へ引っ張って二本の線状薄肉脆弱部を破断するときに、キャップが回転してしまい、力が入りにくいことがあった。
【０００４】
本発明は、上述の従来の打栓方式の分別離脱キャップの問題点を解決したものであり、分別つまみで容器からキャップを分別離脱するときに、キャップが回転することがなく力が入り易く、また、オーバーキャップが冠着可能な易分別離脱可能なキャップを提供するものである。
【課題を解決するための手段】
【０００５】
すなわち、本発明の第１の発明は、キャップ本体の天板に、蓋部が装着する注出口部を立設し、周壁の内周面に容器との咬合リングを有する打栓方式のキャップであって、前記周壁外周面の所定位置に、分別用つまみ係止突起を突設し、この分別用つまみ係止突部に離脱可能に係止孔部を係止する分別用つまみを、前記周壁の前記分別用つまみ係止突部の下方外周面下端にヒンジ部を介して接続し、前記周壁外周面の前記ヒンジ部の左右両端位置から、前記周壁の上端に達する二本の線状薄肉脆弱部を上方開きで対向させて設け、常時には、前記分別用つまみを前記分別用つまみ係止突部に係止し、前記キャップを容器から分別するときには、前記分別用つまみを前記分別用つまみ係止突部から外して上方へ引き上げ、前記周壁に設けられた前記二本の線状薄肉脆弱部を破断させて、前記キャップを容器から離脱することを特徴とする易分別離脱可能なキャップである。
【０００６】
次に、本発明の第２の発明は、前記分別用つまみの形状が、Ｕ字状で中央位置に係止孔部をもち、該Ｕ字状分別用つまみの左右上端を、前記周壁の前記分別用つまみ係止突起の
下方外周面下端にそれぞれヒンジ部を介して接続したことを特徴とする請求項１に記載する易分別離脱可能なキャップである。
【０００７】
そして、本発明の第３の発明は、キャップ本体の天板に、蓋部が装着する注出口部を立設し、周壁の内周面に容器との咬合リングを有する打栓方式のキャップであって、前記周壁の下端部の外側に、分別環状つまみを、所定位置の一対の非破断性連結部とその他位置に複数個の易破断性小連結部を放射状に橋設して取り付け、前記周壁に接続する前記一対の非破断性連結の左右両端位置から、前記周壁の上端に達する二本の線状薄肉脆弱部を上方開きで対向させて設け、前記キャップを容器から分別するときには、前記分別環状つまみの一対の非破断性連結部の対向側を上方へ引き上げて、前記複数個の易破断性小連結部を破断し、さらに前記周壁に設けられた前記二本の線状薄肉脆弱部を破断させて、前記キャップを容器から離脱することを特徴とする易分別離脱可能なキャップである。
【発明の効果】
【０００８】
第１及び第２の発明の易分別離脱可能なキャップは、キャップを容器から分別するときに、分別用つまみを分別用つまみ係止突部から外して上方へ引き上げ、周壁に設けられた二本の線状薄肉脆弱部を破断させて、キャップを容器から分別離脱するものであり、離脱操作は上方へ引き上げるものであり力が入れやすく、また、周方向へ力を加えることがなくキャップが回転しないため力を有効に使え、この結果、キャップを容器から離脱しやすい。
【０００９】
また、第３の発明の易分別離脱可能なキャップは、キャップを容器から分別するときには、分別環状つまみの一対の非破断性連結部の対向側を上方へ引き上げて、複数個の易破断性小連結部を破断し、さらに周壁に設けられた二本の線状薄肉脆弱部を破断させて、キャップを容器から分別離脱するものであり、離脱操作は上方へ引き上げるものであり力が入れやすく、また、周方向へ力を加えることがなくキャップが回転しないため力を有効に使え、この結果、キャップを容器から離脱しやすい。
【００１０】
また、第１又は第２の発明の易分別離脱可能なキャップの分別用つまみ及び第３の発明の易分別離脱可能なキャップの分別環状つまみは、キャップ本体に一体感を持たせてコンパクトに取り付けらており、出っ張って邪魔になることがないため、オーバーキャップを、容器にの口頸部に装着するキャップに冠着することが容易である。
【発明を実施するための最良の形態】
【００１１】
次に、本発明の易分別離脱可能なキャップの実施の形態について、図を用いて詳細に説明する。
【００１２】
図１は、実施形態１のキャップの容器から分離しようとするときの操作を示す斜視図であり、図２は、そのキャップの平面図と一部切欠いた正面図であり、図３は、そのキャップにオーバーキャップを装着した状態を示す説明図である。図４は、実施形態２のキャップの容器から分離しようとするときの操作を示す斜視図であり、図５は、そのキャップの平面図と一部切欠いた正面図であり、図６は、そのキャップにオーバーキャップを装着した状態を示す説明図である。                                                      
【００１３】
実施形態１の易分別離脱可能なキャップ（１０）は、図３に示すように、キャップ本体（１００）の天板（１２０）に、蓋部（２００）が装着する注出口部（１１０）を立設し、周壁（１３０）の内周面に容器（２０）の咬合リング（２２）と咬合する咬合リング（１３１）を有する打栓方式のキャップである。
【００１４】
実施形態１の蓋部（２００）の構造は、図３に示すように、天板（２１０）と周壁（２
２０）とからなり、天板下面にキャップ本体（１００）の注出口部（１１０）を封止するインナー封止リング（２１１）を設け、周壁の内周面にキャップ本体の注出口部の雄ねじ（１１１）と螺合する雌ねじ（２２１）を設けるものである。なお、蓋部は、ポリプロピレンやポリエチレンなどの熱可塑性樹脂を用いて射出成形法により作製されるものである。
【００１５】
実施形態１のキャップ本体（１１０）の構造は、図３に示すように、注出口部（１１０）と天板（１２０）と周壁（１３０）と分別用つまみ（１５０）とからなり、天板の中央位置に注出口部を突設し、注出口部の外周面に蓋部（２００）の雌ねじ（２２１）と螺合する雄ねじ（１１１）を設け、天板下面に容器（２０）の口頸部（２１）を封止するインナー封止リング（１２１）を設け、図２（ａ）及び（ｂ）に示すように、周壁（１３０）外周面の所定中央位置に、分別用つまみ係止突起（１４０）を突設し、この分別用つまみ係止突部に離脱可能に係止する形状がＵ字状で中央位置に係止孔部（１５１）をもつＵ字状分別用つまみ（１５０）を、左右上端を周壁の分別用つまみ係止突起の下方外周面下端にそれぞれヒンジ部（１６０ａ，１６０ｂ）を介して接続し、周壁外周面のヒンジ部の左右両端位置から、周壁の上端に達する二本の線状薄肉脆弱部（１３２ａ，１３２ｂ）を上方開きで対向させて設けるものである。なお、キャップ本体は、ヒンジ適性を有し線状薄肉脆弱部が破断可能なポリエチレンやポリプロピレンなどの熱可塑性樹脂を用いて射出成形法により作製されるものである。
【００１６】
そして、実施形態１の易分別離脱可能なキャップ（１０）は、常時には、図２ｂに示すように、Ｕ字状分別用つまみ（１５０）を分別用つまみ係止突部（１４０）に係止して使用するものであり、使用されたのちにキャップ（１０）を容器（２０）から分別するときには、図１に示すように、分別用つまみ（１５０）を分別用つまみ係止突部（１４０）から外して、上方へ引き上げ（矢印で示す）、周壁（１３０）に設けられた二本の線状薄肉脆弱部（１３２ａ，１３２ｂ）を破断させて、キャップを容器から離脱するものである。
【００１７】
また、実施形態１の易分別離脱可能なキャップの分別用つまみ（１５０）は、図３に示すように、キャップ本体（１００）に一体感を持たせてコンパクトに取り付けらており、出っ張って邪魔になることがないため、容器（２０）の口頸部（２１）に装着するキャップ（１０）に、容器の口頸部下方部に設けられた咬合リング（２３）にオーバーキャップ（３０）の内周面下方部に設けられた咬合リング（３１）を咬合して、冠着することができる。
【００１８】
次に、実施形態２の易分別離脱可能なキャップ（１０）は、図６に示すように、実施形態２と同様に、キャップ本体（１００）の天板（１２０）に、蓋部（２００）が装着する注出口部（１１０）を立設し、周壁（１３０）の内周面に容器（２０）の咬合リング（２２）と咬合する咬合リング（１３１）を有する打栓方式のキャップである。
【００１９】
実施形態２の蓋部（２００）の構造は、図６に示すように、実施形態２と同様に、天板（２１０）と周壁（２２０）とからなり、天板下面にキャップ本体（１００）の注出口部（１１０）を封止するインナー封止リング（２１１）を設け、周壁の内周面にキャップ本体の注出口部の雄ねじ（１１１）と螺合する雌ねじ（２２１）を設けるものである。なお、蓋部は、ポリプロピレンやポリエチレンなどの熱可塑性樹脂を用いて射出成形法により作製されるものである。
【００２０】
実施形態２のキャップ本体（１１０）の構造は、図６に示すように、注出口部（１１０）と天板（１２０）と周壁（１３０）と分別用環状つまみ（１７０）とからなり、天板の中央位置に注出口部を突設し、注出口部の外周面に蓋部（２００）の雌ねじ（２２１）と螺合する雄ねじ（１１１）を設け、天板下面に容器（２０）の口頸部（２１）を封止する
インナー封止リング（１２１）を設け、図５（ａ）及び（ｂ）に示すように、周壁（１３０）の下端部の外側に、分別環状つまみ（１７０）を、所定位置の一対の非破断性連結部（１７１）とその他位置に５個の易破断性小連結部（１７２）を等間隔に放射状に橋設して取り付け、周壁に接続する一対の非破断性連結の左右両端位置から、周壁の上端に達する二本の線状薄肉脆弱部（１３２ａ，１３２ｂ）を上方開きで対向させて設けるものである。なお、キャップ本体は、連結部や線状薄肉脆弱部が破断可能なポリエチレンなどの熱可塑性樹脂を用いて射出成形法により作製されるものである。
【００２１】
そして、使用されたのちにキャップ（１０）を容器（２０）から分別するときには、図４に示すように、分別環状つまみ（１７０）の一対の非破断性連結部（１７１）の対向側を上方へ引き上げて（矢印で示す）、等間隔に放射状に設けられた５個の易破断性小連結部（１７２）を破断し、さらに周壁（１３０）に設けられた二本の線状薄肉脆弱部（１３２ａ，１３２ｂ）を破断させて、キャップを容器から離脱するものである。
【００２２】
また、実施形態２の易分別離脱可能なキャップの分別用環状つまみ（１７０）は、図６に示すように、キャップ本体（１００）に一体感を持たせてコンパクトに取り付けらており、出っ張って邪魔になることがないため、容器（２０）の口頸部（２１）に装着するキャップ（１０）に、容器の口頸部下方部に設けられた咬合リング（２３）にオーバーキャップ（３０）の内周面下方部に設けられた咬合リング（３１）を咬合して、冠着することができる。
【図面の簡単な説明】
【００２３】
【図１】本発明の実施形態１の易分別離脱可能なキャップを、容器から分離しようとするときの操作を示す斜視図である。
【図２】（ａ）は、実施形態１の易分別離脱可能なキャップの平面図であり、（ｂ）は、一部切欠いた正面図である。
【図３】実施形態１の易分別離脱可能なキャップに、オーバーキャップを装着した状態を示す説明図である。
【図４】本発明の実施形態２の易分別離脱可能なキャップを、容器から分離しようとするときの操作を示す斜視図である。
【図５】（ａ）は、実施形態２の易分別離脱可能なキャップの平面図であり、（ｂ）は、一部切欠いた正面図である。
【図６】実施形態２の易分別離脱可能なキャップに、オーバーキャップを装着した状態を示す説明図である。
【符号の説明】
【００２４】
１０……キャップ
２０……容器
２１……口頸部
２２，２３，１３１，３１……咬合リング
３０……オーバーキャップ
１００……キャップ本体
１１０……注出口部
１１１……雄ねじ
１２０……天板
１２１，２１１……インナー封止リング
１３０，２２０……周壁
１３２ａ，１３２ｂ……線状薄肉脆弱部
１４０……分別用つまみ係止突部
１５０……分別用つまみ
１５１……係止孔部
１６０ａ，１６０ｂ……ヒンジ部
１７０……分別用環状つまみ
１７１……一対の非破断性連結部
１７２……易破断性小連結部
２００……蓋部
２１０……天板
２２１……雌ねじ
【図１】
2008230615.tif 000003
【図２】
2008230615.tif 000004
【図３】
2008230615.tif 000005
【図４】
2008230615.tif 000006
【図５】
2008230615.tif 000007
【図６】
2008230615.tif 000008